(57)【要約】【課題】シートカバーにランバーサポートを取り付けたものでは、取り付けに手間暇かかり、更に、座席背部と座席座部との間に挿通させる連結部を差し込むものでは、容易に移動して抜けてしまい、遊端部に抜止部材を取り付けたものでは、座席から抜けにくく成るものの安定性が悪かった。【解決手段】本発明は、基布と表地とを縫着させたクッション本体１を区分けしたクッション背部３とクッション座部４と、クッション背部に摺動可能に取着した腰部用クッション５とを備え、腰部用クッションの基布と表地と間にポケット部を内装させたものであり、更に、クッション背部に背骨用クッション部と背部ずれ防止クッション部とを備えると共に、クッション座部に股間用クッション部と太股用クッション部と座部ずれ防止クッション部とを備え、柔軟性クッション層を内装させステッチによって区画した。【選択図】      図１
2004329812.tif 000002
【特許請求の範囲】
【請求項１】
基布と表地とを積層して外周縁を縫着させ車両の座席に敷設するクッション本体と、該クッション本体の巾方向に縫着したステッチによって区分けされた上方を巾広に下方を巾狭に形成され座席背部に敷設するクッション背部と奥方を巾狭に前方を巾広に形成され座席座部に敷設するクッション座部と、前記クッション背部の着座者の腰部が位置する腰部部位に上下方向に摺動可能に取着した腰部用クッションとを備え、前記腰部用クッションは基布と表地とを積層して外周縁を縫着させ巾方向の中央部を巾狭に両側に行くほど巾広に形成し、該基布と表地と間にクッション層を内装すると共に上辺又は下辺に開口する袋状のポケット部を内装させて厚みの調整を可能としたことを特徴とする腰痛防止用クッション。
【請求項２】
前記クッション背部の腰部部位の上方の着座者の肩の下方が位置する背部部位と、該背部部位の中央に設けた着座者の背骨が位置する背骨用クッション部と、該背骨用クッション部の両側に設けた着座者の肩胛骨が夫々位置する肩胛骨クッション部と、該夫々の肩胛骨クッション部の外側に設けた巾方向のずれを防止する背部ずれ防止クッション部とを備え、前記背骨用クッション部と前記夫々の肩胛骨クッション部と前記夫々の背部ずれ防止クッション部とは夫々低反発性と低復元性を有した柔軟性クッション層を内装させステッチによって区画すると共に、前記クッション座部の後方に設けた着座者の尻部が位置する座部部位と、該座部部位の前方に設けた前方部位と、該前方部位の中央に設けた着座者の股間が位置する股間用クッション部と、該股間用クッション部の両側に設けた着座者の太股の後側が夫々位置する太股用クッション部と、該夫々の太股用クッション部の外側に設けた巾方向のずれを防止する座部ずれ防止クッション部とを備え、前記股間用クッション部と前記夫々の太股用クッション部と前記夫々の座部ずれ防止クッション部とは夫々低反発性と低復元性を有した柔軟性クッション層を内装させステッチによって区画することを特徴とする請求項１に記載の腰痛防止用クッション。
【請求項３】
前記クッション背部と前記クッション座部との間のステッチの裏面に該ステッチに沿って座席の座席背部と座席座部との隙間に差し込む先端辺に柔軟性部材で柱状に形成した膨出部材を内装させたクッション固定部を延設させたことを特徴とする請求項１又は請求項２に記載の腰痛防止用クッション。
【請求項４】
前記クッション背部の上方辺に座席に装着するための装着具を付設したことを特徴とする請求項１乃至請求項３に記載の腰痛防止用クッション。
【発明の詳細な説明】
【０００１】
【産業上の利用分野】
本発明は、車両の座席に敷設する腰痛防止用クッションに関するものであり、更に詳細には、着座者の姿勢を正しく保つことにより腰への負担を軽減させる腰痛防止用クッションに関するものである。
【０００２】
【従来技術】
従来、この種の腰部の保護を目的とした車両用の座席に用いるクッションは各種開発されており、例えば、座席のシートカバーの内側にランバーサポートを上下方向に位置調整可能に取り付けたもの（特許文献１参照）や、座席の上方からクッション性を有する腰枕を紐体で吊したもの（特許文献２参照）、また、座席とクッションシートを外れないように敷設するために、座席の座席背部の上方に取り付けるための取付片を設けると共に、裏面に座席の座席背部と座席座部との間に挿通させるシート状の連結部を延設して差し込むもの（特許文献３参照）や、クッションの背面裾付近に帯状を張設してその遊端部に抜止部材を取り付けたもの（特許文献４参照）が開示されている。
【０００３】
【特許文献１】
特開２００２−３２５６５１号公報
【特許文献２】
登録実用新案３０７９００９号公報
【特許文献３】
特開平８−２４０８９号公報
【特許文献４】
実告昭４８−３７１２号公報
【０００４】
【解決しようとする課題】
然し乍ら、座席のシートカバーの内側にランバーサポートを上下方向に位置調整可能に取り付けたものでは、ランバーサポートをシートカバーの内側に取り付けたものであり、取り付けに手間暇かかり、更に、着座者が変わったような場合に位置調整可能に取り付けたものでも容易に調整ができず、更に、クッション性を有する腰枕を紐体で吊したものでは、腰部だけのものであり、安定感が無く外見上も悪いものであり、更には、裏面に座席の座席背部と座席座部との間に挿通させるシート状の連結部を延設して差し込むものでは、クッションと共に容易に移動して抜けてしまい、そして、クッションの背面裾付近に帯状を張設してその遊端部に抜止部材を取り付けたものでは、座席から抜けにくく成るもののクッションは従来のスポンジ等の柔軟性素材をクッション材として用いたもので安定性が悪いものであった。
【０００５】
【課題を解決するための手段】
本発明は、前述の課題に鑑み、鋭意研鑽の結果、請求項１に記載の腰痛防止用クッションは、基布と表地とを積層して縫着させ座席に敷設するクッション本体と、クッション本体に縫着したステッチによって区分けされた上方を巾広に下方を巾狭に形成され座席背部に敷設するクッション背部と奥方を巾狭に前方を巾広に形成され座席座部に敷設するクッション座部と、クッション背部の着座者の腰部が位置する腰部部位に摺動可能に取着した腰部用クッションとを備え、腰部用クッションは基布と表地とを積層して縫着させ中央部を巾狭に両側に行くほど巾広に形成し、基布と表地と間にクッション層を内装すると共に上辺又は下辺に開口する袋状のポケット部を内装させたものである。
【０００６】
更に、請求項２に記載の記載の腰痛防止用クッションは、請求項１に記載の腰痛防止用クッションにおいて、クッション背部の腰部部位の上方に設けた着座者の肩の下方が位置する背部部位と、背部部位の中央に設けた着座者の背骨が位置する背骨用クッション部と、背骨用クッション部の両側に設けた肩胛骨クッション部と、肩胛骨クッション部の外側に設けた背部ずれ防止クッション部とを備え、背骨用クッション部と肩胛骨クッション部と背部ずれ防止クッション部とは低反発性と低復元性を有した柔軟性クッション層を内装させステッチによって区画すると共に、クッション座部の後方に設けた着座者の尻部が位置する座部部位と、座部部位の前方に設けた前方部位と、前方部位の中央に設けた着座者の股間が位置する股間用クッション部と、股間用クッション部の両側に設けた着座者の太股の後側が夫々位置する太股用クッション部と、太股用クッション部の外側に設けた巾方向のずれを防止する座部ずれ防止クッション部とを備え、股間用クッション部と太股用クッション部と座部ずれ防止クッション部とは低反発性と低復元性を有した柔軟性クッション層を内装させステッチによって区画したものである。
【０００７】
更には、請求項３に記載の腰痛防止用クッションは、請求項１又は請求項２に記載の腰痛防止用クッションにおいて、クッション背部とクッション座部との間のステッチの裏面に座席背部と座席座部との隙間に差し込む先端辺に柔軟性部材で柱状に形成した膨出部材を内装させたクッション固定部を延設させものである。
【０００８】
加えて、請求項４に記載の記載の腰痛防止用クッションは、請求項１乃至請求項３に記載の腰痛防止用クッションにおいて、クッション背部に装着具を付設したものである。
【０００９】
【発明の作用】
本発明の腰痛防止用クッションは、クッション背部の上方を巾広に下方を巾狭に形成すると共に、ステッチを介してクッション座部の奥方を巾狭に前方を巾広に形成したことにより、座席と着座者にフィットし、更に、腰部用クッションは腰部部位に摺動可能に取着し、且つ、クッション層を内装させると共にポケット部を形成したため厚みの調整を可能として着座者の姿勢を正しい姿勢に修正する可能であり、更に、クッション背部の背部部位には背骨用クッション部と肩胛骨クッション部と背部ずれ防止クッション部とに低反発性と低復元性を有した柔軟性クッション層を内装させステッチによって区画されており、クッション座部の前方部位には股間用クッション部と太股用クッション部と座部ずれ防止クッション部とに低反発性と低復元性を有した柔軟性クッション層を内装させステッチによって区画されており、着座した時身体の凹凸に合わせてゆっくりと沈み込み着座者の体形に確りとフィットすると共に体圧を分散させて疲労を軽減し、更に、正しい姿勢を保つことを可能にし、更には、座席背部と座席座部との隙間に差し込む先端辺に柔軟性部材で柱状に形成した膨出部材を内装させたクッション固定部を延設させ、加えて、装着具を付設したことによって、ずれたり外れたりすることが皆無と成るものである。
【００１０】
従って、本発明の目的は、着座者の姿勢を正しく保つことにより腰への負担を軽減させ、着座者の身体の凹凸に合わせてゆっくりと沈み込み、身体にフィットすると共に、座席からもずれたり外れたりすることのない腰痛防止用クッションを提供するものである。
【００１１】
【発明の実施の形態】
以下、本発明の腰痛防止用クッションの実施の形態の図面によって具体的に説明する。
【００１２】
図１は本発明の腰痛防止用クッションの実施の形態の使用状態を説明するための斜視図であり、図２は本発明の腰痛防止用クッションの実施の形態の平面図であり、図３は本発明の腰痛防止用クッションの実施の形態の断面とした説明図であり、図４は本発明の腰痛防止用クッションの実施の形態の腰部用クッションの平面図であり、図５は本発明の腰痛防止用クッションの実施の形態を腰部用クッションの断面とした説明図である。
【００１３】
本発明は、車両の座席に敷設する腰痛防止用クッションに関するものであり、更に詳細には、着座者の姿勢を正しく保つことにより腰への負担を軽減させる腰痛防止用クッションに関するものであり、請求項１に記載の腰痛防止用クッションは、基布１Ａと表地１Ｂとを積層して外周縁を縫着させ車両の座席に敷設するクッション本体１と、該クッション本体１の巾方向に縫着したステッチ２によって区分けされた上方を巾広に下方を巾狭に形成され座席背部Ａに敷設するクッション背部３と奥方を巾狭に前方を巾広に形成され座席座部Ｂに敷設するクッション座部４と、前記クッション背部３の着座者の腰部が位置する腰部部位３ａに上下方向に摺動可能に取着した腰部用クッション５とを備え、前記腰部用クッション５は基布５Ａと表地５Ｂとを積層して外周縁を縫着させ巾方向の中央部を巾狭に両側に行くほど巾広に形成し、該基布５Ａと表地５Ｂと間にクッション層５Ｃを内装すると共に上辺又は下辺に開口する袋状のポケット部５Ｄを内装させて厚みの調整を可能としたものである。
【００１４】
更に、請求項２に記載の腰痛防止用クッションは、請求項１に記載の腰痛防止用クッションにおいて、前記クッション背部３の腰部部位３ａの上方の着座者の肩の下方が位置する背部部位３ｂと、該背部部位３ｂの中央に設けた着座者の背骨が位置する背骨用クッション部３ｂａと、該背骨用クッション部３ｂａの両側に設けた着座者の肩胛骨が夫々位置する肩胛骨クッション部３ｂｂと、該夫々の肩胛骨クッション部３ｂｂの外側に設けた巾方向のずれを防止する背部ずれ防止クッション部３ｂｃとを備え、前記背骨用クッション部３ｂａと前記夫々の肩胛骨クッション部３ｂｂと前記夫々の背部ずれ防止クッション部３ｂｃとは夫々低反発性と低復元性を有した柔軟性クッション層１Ｃを内装させステッチ２によって区画すると共に、前記クッション座部４の後方に設けた着座者の尻部が位置する座部部位４ａと、該座部部位４ａの前方に設けた前方部位４ｂと、該前方部位４ｂの中央に設けた着座者の股間が位置する股間用クッション部４ｂａと、該股間用クッション部４ｂａの両側に設けた着座者の太股の後側が夫々位置する太股用クッション部４ｂｂと、該夫々の太股用クッション部４ｂｂの外側に設けた巾方向のずれを防止する座部ずれ防止クッション部４ｂｃとを備え、前記股間用クッション部４ｂａと前記夫々の太股用クッション部４ｂｂと前記夫々の座部ずれ防止クッション部４ｂｃとは夫々低反発性と低復元性を有した柔軟性クッション層１Ｃを内装させステッチ２によって区画するものである。
【００１５】
更には、請求項３に記載の腰痛防止用クッションは、請求項１又は請求項２に記載の腰痛防止用クッションにおいて、前記クッション背部３とクッション座部４との間のステッチ２の裏面に該ステッチ２に沿って座席の座席背部Ａと座席座部Ｂとの隙間に差し込む先端辺に柔軟性部材で柱状に形成した膨出部材６ａを内装させたクッション固定部６を延設させたものである。
【００１６】
加えて、請求項４に記載の腰痛防止用クッションは、請求項１乃至請求項３に記載の腰痛防止用クッションにおいて、前記クッション背部３の上方辺に座席に装着するための装着具７を付設したものである。
【００１７】
即ち、本発明の腰痛防止用クッションの実施の形態のクッション本体１は、図１乃至図３に図示する如く、車両座席に敷設するように裁断した少なくとも基布１Ａと表地１Ｂとを積層したものであり、基布１Ａは車両の座席と当接する側で３ｍｍ〜１０ｍｍ程度の厚みであり、ポリエステル等の硬綿不織布又は織布で形成しており、適宜な硬さを備えているもので、表地１Ｂは着座者に接触する側で１ｍｍ〜２ｍｍ程度の厚みであり、通気性部材であるポリエステルで立体メッシュ等に形成したもので、外周縁部を平織りされた布等の細長いテープでコ字状に囲んで縫着しているものである。
【００１８】
そして、クッション本体１は座席背部Ａに敷設するクッション背部３と座席座部Ｂに敷設するクッション座部４とを屈曲自在にステッチ２によって区分けして、座席背部Ａと座席座部Ｂとの座席の角度に合致するようにしているものである。
【００１９】
更に、クッション背部３の着座者の肩の下方が位置する上方は巾広に形成し、着座者の腰部が位置する下方は巾狭に形成されており、クッション背部３の下辺、つまり、座席の座席背部Ａと座席座部Ｂとの間の屈曲位置にはステッチ２を介してクッション座部４を延設しており、クッション座部４は着座者の尻部が位置する奥方は巾狭に形成し、着座者の太股が位置する前方は巾広に形成しているものである。
【００２０】
次に、腰部用クッション５はクッション背部３の着座者の腰部が位置する腰部部位３ａに上下方向へ摺動可能に取着するもので、腰部用クッション５の左右の両側に伸縮自在のゴムバンド５Ｅを縫着しており、クッション背部３の上方からゴムバンド５Ｅを延伸させて挿通し、ゴムバンド５Ｅの弾性により適宜な位置で保持させるものである。
【００２１】
更に、腰部用クッション５は基布５Ａと表地５Ｂとを積層して外周縁部を平織りされた布等の細長いテープでコ字状に囲んで縫着しており、基布５Ａと表地５Ｂとの間にはスポンジ等のクッション層５Ｃを内装させており巾方向の中央部を巾狭に両側に行くほど巾広に形成しているものである。
【００２２】
更には、ポケット部５Ｄは腰部用クッション５の上辺又は下辺に開口させ収納部を形成するものであり、柔軟性クッション層５Ｃで厚みが不足している場合はタオル等を収納させることにより腰部用クッション５の厚みの調整を可能とするものである。
【００２３】
更に、クッション背部３の上方辺の着座者の肩の下方が位置する背部部位３ｂと下方辺の着座者の腰部が位置する腰部部位３ａとの間はステッチ２により縫着しており、背部部位３ｂには背骨用クッション部３ｂａと肩胛骨クッション部３ｂｂと背部ずれ防止クッション部３ｂｃとを備えているもので、背骨用クッション部３ｂａは着座者の背骨が位置する中央に設けており、肩胛骨クッション部３ｂｂは着座者の肩胛骨が夫々位置する背骨用クッション部３ｂａの両側に設けており、背部ずれ防止クッション部３ｂｃは着座者が巾方向のずれることを防止するために肩胛骨クッション部３ｂｂの外側に設けているものである。
【００２４】
そして、背骨用クッション部３ｂａと肩胛骨クッション部３ｂｂと背部ずれ防止クッション部３ｂｃとの基布１Ａと表地１Ｂとの間に夫々１０ｍｍ〜３０ｍｍ程度の厚みの低反発ウレタンで形成した柔軟性クッション層１Ｃを内装させ、ステッチ２によって区画するもので、低反発性と低復元性を有した低反発ウレタンはゆっくり沈んでゆっくり膨らむものであり、その為に、人間が着座者の身体の凹凸に合わせてゆっくり沈み込むため体圧が分散して疲労を低減させると共に、正しい姿勢を保持できるものである。
【００２５】
次いで、クッション座部４の後方辺の着座者の尻部が位置する座部部位４ａと前方辺の着座者の太股が位置する前方部位４ｂとの間はステッチ２により縫着しており、前方部位４ｂには股間用クッション部４ｂａと太股用クッション部４ｂｂと座部ずれ防止クッション部４ｂｃとを備えているもので、股間用クッション部４ｂａは着座者の股間が位置する中央に設けており、太股用クッション部４ｂｂは着座者の太股の後側が夫々位置する股間用クッション部４ｂａの両側に設けており、座部ずれ防止クッション部４ｂｃは着座者が巾方向のずれることを防止するために夫々の太股用クッション部４ｂｂの外側に設けたものである。
【００２６】
そして、股間用クッション部４ｂａと太股用クッション部４ｂｂと座部ずれ防止クッション部４ｂｃとは前述のクッション背部３と同様に、基布１Ａと表地１Ｂとの間に夫々１０ｍｍ〜３０ｍｍ程度の厚みの低反発ウレタンで形成した柔軟性クッション層１Ｃを内装させ、ステッチ２によって区画するもので、低反発性と低復元性を有した低反発ウレタンはゆっくり沈んでゆっくり膨らむものであり、その為に、人間が着座者の身体の凹凸に合わせてゆっくり沈み込むため体圧が分散して疲労を低減させると共に、正しい姿勢を保持できるものである。
【００２７】
更には、クッション固定部６は袋状の底部に柔軟性部材で柱状に形成した膨出部材６ａを内装させ開口側をクッション背部３とクッション座部４との間のステッチ２の裏面に該ステッチ２に沿って縫着しているものであり、クッション本体１を座席に敷設するときに座席の座席背部Ａと座席座部Ｂとの隙間に差し込むもので、膨出部材６ａは柔軟性部材で形成しているため、座席背部Ａと座席座部Ｂとの隙間を通過するときは縮小し通過後には膨張して抜け落ちを皆無とするものである。
【００２８】
加えて、装着具７はアジャスタ等の留め具を介装したベルト状のもので、両端をクッション背部３の上方裏面に付設しており、車両の座席の座席背部Ａの上方に既設されているヘッドレストの取り付け部に捲回させてアジャスタ等の留め具で留めるものであり、装着具７は各種考慮され座席に固定できるものなら構わないものである。
【００２９】
【発明の効果】
本発明の腰痛防止用クッションは、前述の構成により、クッション本体のクッション背部の上方を巾広に下方を巾狭に形成すると共に、ステッチを介して延設されたクッション座部の奥方を巾狭に前方を巾広に形成したことにより、座席と着座者にフィットし、更に、腰部用クッションにはクッション層を内装させると共にポケット部を形成し、且つ、腰部部位に摺動可能に取着した着座者の体形に容易に合わすことを可能すると共に、着座者を正しい姿勢に修正し、更に、クッション背部の背部部位に設けた背骨用クッション部と肩胛骨クッション部と背部ずれ防止クッション部とには低反発性と低復元性を有した柔軟性クッション層を内装させステッチによって区画されており、クッション座部の前方部位の股間用クッション部と太股用クッション部と座部ずれ防止クッション部とには低反発性と低復元性を有した柔軟性クッション層を内装させステッチによって区画されており、着座した時身体の凹凸に合わせてゆっくりと沈み込み着座者の体形に確りとフィットすると共に体圧を分散させて疲労を軽減し、且つ、正しい姿勢に保持するもので、更には、座席背部と座席座部との隙間に差し込む先端辺に柔軟性部材で柱状に形成した膨出部材を内装させたクッション固定部を延設したことと、装着具を備えたことによって、ずれたり外れたりすることが皆無と成るものであり画期的で実用性の高い発明である。
【図面の簡単な説明】
【図１】図１は本発明の腰痛防止用クッションの実施の形態の使用状態を説明するための斜視図である。
【図２】図２は本発明の腰痛防止用クッションの実施の形態の平面図である。
【図３】図３は本発明の腰痛防止用クッションの実施の形態の断面とした説明図である。
【図４】図４は本発明の腰痛防止用クッションの実施の形態の腰部用クッションの平面図である。
【図５】図５は本発明の腰痛防止用クッションの実施の形態を腰部用クッションの断面とした説明図である。
【符号の説明】
Ａ      座席背部
Ｂ      座席座部
１      クッション本体
１Ａ    基布
１Ｂ    表地
１Ｃ    柔軟性クッション層
２      ステッチ
３      クッション背部
３ａ    腰部部位
３ｂ    背部部位
３ｂａ  背骨用クッション部
３ｂｂ  肩胛骨クッション部
３ｂｃ  背部ずれ防止クッション部
４      クッション座部
４ａ    座部部位
４ｂ    前方部位
４ｂａ  股間用クッション部
４ｂｂ  太股用クッション部
４ｂｃ  座部ずれ防止クッション部
５      腰部用クッション
５Ａ    基布
５Ｂ    表地
５Ｃ    柔軟性クッション層
５Ｄ    ポケット部
５Ｅ    ゴムバンド
６      固定部
６ａ    膨出部材
７      装着具
【図１】
2004329812.tif 000003
【図２】
2004329812.tif 000004
【図３】
2004329812.tif 000005
【図４】
2004329812.tif 000006
【図５】
2004329812.tif 000007